(57)【要約】【課題】盗難や置き忘れ等による携帯端末の紛失時に、タイムリーな紛失通知を所定の通知先に送信する。【解決手段】携帯端末１０は、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を通知先端末２０に送信する手段とを有し、通知先端末２０は、携帯端末１０から位置情報を受信する度に保存する手段を有する。【選択図】      図１
2007235823.tif 000002
【特許請求の範囲】
【請求項１】
ネットワークを介して接続される携帯端末と通知先端末とを備えた紛失通知システムであって、
前記携帯端末は、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を前記通知先端末に送信する手段とを有し、
前記通知先端末は、前記携帯端末から位置情報を受信する度に保存する手段を有することを特徴とする紛失通知システム。
【請求項２】
ネットワークを介して接続される携帯端末と通知先端末とを備えた紛失通知システムであって、
前記携帯端末は、衝撃を検出する衝撃検出手段と、時間を計数するタイマと、紛失通知モードに設定されたときに前記タイマによる時間の計数と前記衝撃検出手段による衝撃の検出を開始する手段と、衝撃が検出される度に前記タイマの計数時間すなわち静止継続時間をリセットし計数を再開する手段と、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を前記通知先端末に送信する手段と、算出した移動距離が所定距離以上でなかった場合に前記タイマから静止継続時間を取得し所定時間以上であるかを判定する手段と、所定時間以上であった場合に現在の位置情報を前記通知先端末に送信する手段とを有し、
前記通知先端末は、前記携帯端末から位置情報を受信する度に保存する手段を有することを特徴とする紛失通知システム。
【請求項３】
前記携帯端末から現在の位置情報を紛失通知メールにより前記通知先端末に送信し、前記紛失通知メールは移動距離または静止継続時間のいずれに基づく紛失通知かの情報を含むことを特徴とする請求項２記載の紛失通知システム。
【請求項４】
ネットワークを介して接続される携帯端末と通知先端末とを備えた紛失通知システムであって、
前記携帯端末は、紛失通知モードに設定されたときにロック解除を除く当該端末の操作を禁止するロックモードにするとともにロック解除用認証の監視を開始し認証失敗回数を記憶する手段と、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を前記通知先端末に送信する手段と、算出した移動距離が所定距離以上でなかった場合に認証失敗回数を取得し所定回数以上であるかを判定する手段と、所定回数以上であった場合に現在の位置情報を前記通知先端末に送信する手段とを有し、
前記通知先端末は、前記携帯端末から位置情報を受信する度に保存する手段を有することを特徴とする紛失通知システム。
【請求項５】
前記携帯端末から現在の位置情報を紛失通知メールにより前記通知先端末に送信し、前記紛失通知メールは移動距離または認証失敗回数のいずれに基づく紛失通知かの情報を含むことを特徴とする請求項４記載の紛失通知システム。
【請求項６】
ネットワークを介して接続される携帯端末と通知先端末とを備えた紛失通知システムであって、
前記携帯端末は、衝撃を検出する衝撃検出手段と、時間を計数するタイマと、紛失通知モードに設定されたときに前記タイマによる時間の計数と前記衝撃検出手段による衝撃の検出を開始する手段と、衝撃が検出される度に前記タイマの計数時間すなわち静止継続時間をリセットし計数を再開する手段と、紛失通知モードに設定されたときにロック解除を除く当該端末の操作を禁止するロックモードにするとともにロック解除用認証の監視を開始し認証失敗回数を記憶する手段と、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を前記通知先端末に送信する手段と、算出した移動距離が所定距離以上でなかった場合に前記タイマから静止継続時間を取得し所定時間以上であるかを判定する手段と、所定時間以上であった場合に現在の位置情報を前記通知先端末に送信する手段と、算出した移動距離が所定距離以上でなかった場合に認証失敗回数を取得し所定回数以上であるかを判定する手段と、所定回数以上であった場合に現在の位置情報を前記通知先端末に送信する手段とを有し、
前記通知先端末は、前記携帯端末から位置情報を受信する度に保存する手段を有することを特徴とする紛失通知システム。
【請求項７】
前記携帯端末から現在の位置情報を紛失通知メールにより前記通知先端末に送信し、前記紛失通知メールは移動距離，静止継続時間または認証失敗回数のいずれに基づく紛失通知かの情報を含むことを特徴とする請求項６記載の紛失通知システム。
【請求項８】
紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を外部装置に送信する手段とを有することを特徴とする携帯端末。
【請求項９】
衝撃を検出する衝撃検出手段と、時間を計数するタイマと、紛失通知モードに設定されたときに前記タイマによる時間の計数と前記衝撃検出手段による衝撃の検出を開始する手段と、衝撃が検出される度に前記タイマの計数時間すなわち静止継続時間をリセットし計数を再開する手段と、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を外部装置に送信する手段と、算出した移動距離が所定距離以上でなかった場合に前記タイマから静止継続時間を取得し所定時間以上であるかを判定する手段と、所定時間以上であった場合に現在の位置情報を前記外部装置に送信する手段とを有することを特徴とする携帯端末。
【請求項１０】
紛失通知モードに設定されたときにロック解除を除く当該端末の操作を禁止するロックモードにするとともにロック解除用認証の監視を開始し認証失敗回数を記憶する手段と、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を外部装置に送信する手段と、算出した移動距離が所定距離以上でなかった場合に認証失敗回数を取得し所定回数以上であるかを判定する手段と、所定回数以上であった場合に現在の位置情報を前記外部装置に送信する手段とを有することを特徴とする携帯端末。
【請求項１１】
衝撃を検出する衝撃検出手段と、時間を計数するタイマと、紛失通知モードに設定されたときに前記タイマによる時間の計数と前記衝撃検出手段による衝撃の検出を開始する手段と、衝撃が検出される度に前記タイマの計数時間すなわち静止継続時間をリセットし計数を再開する手段と、紛失通知モードに設定されたときにロック解除を除く当該端末の操作を禁止するロックモードにするとともにロック解除用認証の監視を開始し認証失敗回数を記憶する手段と、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を外部装置に送信する手段と、算出した移動距離が所定距離以上でなかった場合に前記タイマから静止継続時間を取得し所定時間以上であるかを判定する手段と、所定時間以上であった場合に現在の位置情報を前記外部装置に送信する手段と、算出した移動距離が所定距離以上でなかった場合に認証失敗回数を取得し所定回数以上であるかを判定する手段と、所定回数以上であった場合に現在の位置情報を前記外部装置に送信する手段とを有することを特徴とする携帯端末。
【請求項１２】
携帯端末が紛失通知モードに設定されたときに位置情報を取得し記憶するステップと、以後定期的に位置情報を取得し記憶するステップと、位置情報取得の度に取得した位置情報と紛失通知モード設定時に取得した位置情報とを基に移動距離を算出するステップと、算出した移動距離が所定距離以上であった場合に現在の位置情報を外部装置に送信するステップとを有することを特徴とする紛失通知方法。
【請求項１３】
携帯端末が紛失通知モードに設定されたときにタイマによる時間の計数と衝撃検出手段による衝撃の検出を開始するステップと、衝撃が検出される度に前記タイマの計数時間すなわち静止継続時間をリセットし計数を再開するステップと、紛失通知モードに設定されたときにロック解除を除く当該端末の操作を禁止するロックモードにするとともにロック解除用認証の監視を開始し認証失敗回数を記憶するステップと、紛失通知モードに設定されたときに位置情報を取得し記憶するステップと、以後定期的に位置情報を取得し記憶するステップと、位置情報取得の度に取得した位置情報と紛失通知モード設定時に取得した位置情報とを基に移動距離を算出するステップと、算出した移動距離が所定距離以上であった場合に現在の位置情報を外部装置に送信するステップと、算出した移動距離が所定距離以上でなかった場合に前記タイマから静止継続時間を取得し所定時間以上であるかを判定するステップと、所定時間以上であった場合に現在の位置情報を前記外部装置に送信するステップと、算出した移動距離が所定距離以上でなかった場合に認証失敗回数を取得し所定回数以上であるかを判定するステップと、所定回数以上であった場合に現在の位置情報を前記外部装置に送信するステップとを有することを特徴とする紛失通知方法。
【請求項１４】
紛失通知モードに設定されたときに位置情報を取得し記憶する機能、以後定期的に位置情報を取得し記憶する機能、位置情報取得の度に取得した位置情報と紛失通知モード設定時に取得した位置情報とを基に移動距離を算出する機能、算出した移動距離が所定距離以上であった場合に現在の位置情報を外部装置に送信する機能、をコンピュータに実現させるためのプログラム。
【請求項１５】
紛失通知モードに設定されたときにタイマによる時間の計数と衝撃検出手段による衝撃の検出を開始する機能、衝撃が検出される度に前記タイマの計数時間すなわち静止継続時間をリセットし計数を再開する機能、紛失通知モードに設定されたときに位置情報を取得し記憶する機能、以後定期的に位置情報を取得し記憶する機能、位置情報取得の度に取得した位置情報と紛失通知モード設定時に取得した位置情報とを基に移動距離を算出する機能、算出した移動距離が所定距離以上であった場合に現在の位置情報を外部装置に送信する機能、算出した移動距離が所定距離以上でなかった場合に前記タイマから静止継続時間を取得し所定時間以上であるかを判定する機能、所定時間以上であった場合に現在の位置情報を前記外部装置に送信する機能、をコンピュータに実現させるためのプログラム。
【請求項１６】
紛失通知モードに設定されたときにロック解除を除く当該端末の操作を禁止するロックモードにするとともにロック解除用認証の監視を開始し認証失敗回数を記憶する機能、紛失通知モードに設定されたときに位置情報を取得し記憶する機能、以後定期的に位置情報を取得し記憶する機能、位置情報取得の度に取得した位置情報と紛失通知モード設定時に取得した位置情報とを基に移動距離を算出する機能、算出した移動距離が所定距離以上であった場合に現在の位置情報を外部装置に送信する機能、算出した移動距離が所定距離以上でなかった場合に認証失敗回数を取得し所定回数以上であるかを判定する機能、所定回数以上であった場合に現在の位置情報を前記外部装置に送信する機能、をコンピュータに実現させるためのプログラム。
【請求項１７】
紛失通知モードに設定されたときにタイマによる時間の計数と衝撃検出手段による衝撃の検出を開始する機能、衝撃が検出される度に前記タイマの計数時間すなわち静止継続時間をリセットし計数を再開する機能、紛失通知モードに設定されたときにロック解除を除く当該端末の操作を禁止するロックモードにするとともにロック解除用認証の監視を開始し認証失敗回数を記憶する機能、紛失通知モードに設定されたときに位置情報を取得し記憶する機能、以後定期的に位置情報を取得し記憶する機能、位置情報取得の度に取得した位置情報と紛失通知モード設定時に取得した位置情報とを基に移動距離を算出する機能、算出した移動距離が所定距離以上であった場合に現在の位置情報を外部装置に送信する機能、算出した移動距離が所定距離以上でなかった場合に前記タイマから静止継続時間を取得し所定時間以上であるかを判定する機能、所定時間以上であった場合に現在の位置情報を前記外部装置に送信する機能、算出した移動距離が所定距離以上でなかった場合に認証失敗回数を取得し所定回数以上であるかを判定する機能、所定回数以上であった場合に現在の位置情報を前記外部装置に送信する機能、をコンピュータに実現させるためのプログラム。
【発明の詳細な説明】
【技術分野】
【０００１】
本発明は、盗難や置き忘れ等により携帯端末を紛失した場合に対応する紛失通知システム，携帯端末，紛失通知方法およびプログラムに関する。
【背景技術】
【０００２】
従来の紛失通知システムは、例えば、特開２００３−１９９１５５号公報（特許文献１）に開示されている。この特許文献１においては、
・携帯端末を使用するためのロック解除番号や指紋，声紋等による認証に１回または所定回数失敗したことを検出し、
・ＧＰＳ機能により取得した携帯端末の位置情報と携帯端末固有のＩＤ番号を含んだ盗難メールを生成し、
・予め設定した通知先（自宅のコンピュータ，家族の携帯端末，通信事業者サービスセンター等）に盗難メールを送信する、
ことが記載されている。
【０００３】
【特許文献１】特開２００３−１９９１５５号公報（段落「００２１」〜「００２２」、「００２９」〜「００３０」、「００３８」〜「００３９」）
【発明の開示】
【発明が解決しようとする課題】
【０００４】
上述した特許文献１においては、携帯端末を使用するための認証に失敗したということを契機に盗難メールを生成し所定の通知先に通知している。換言すれば、携帯端末が盗難されても盗んだ人が認証行為を行わない状態で持っていたような場合には盗難通知が送信されないため、タイムリーな盗難状況の通知ができないという問題がある。
【０００５】
本発明の目的は、以上の課題を解決する紛失通知システム，携帯端末，紛失通知方法およびプログラムを提供することにある。
【課題を解決するための手段】
【０００６】
本発明の第１の紛失通知システムは、ネットワークを介して接続される携帯端末と通知先端末とを備えた紛失通知システムであって、
前記携帯端末は、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を前記通知先端末に送信する手段とを有し、
前記通知先端末は、前記携帯端末から位置情報を受信する度に保存する手段を有する。
【０００７】
本発明の第２の紛失通知システムは、ネットワークを介して接続される携帯端末と通知先端末とを備えた紛失通知システムであって、
前記携帯端末は、衝撃を検出する衝撃検出手段と、時間を計数するタイマと、紛失通知モードに設定されたときに前記タイマによる時間の計数と前記衝撃検出手段による衝撃の検出を開始する手段と、衝撃が検出される度に前記タイマの計数時間すなわち静止継続時間をリセットし計数を再開する手段と、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を前記通知先端末に送信する手段と、算出した移動距離が所定距離以上でなかった場合に前記タイマから静止継続時間を取得し所定時間以上であるかを判定する手段と、所定時間以上であった場合に現在の位置情報を前記通知先端末に送信する手段とを有し、
前記通知先端末は、前記携帯端末から位置情報を受信する度に保存する手段を有する。
【０００８】
本発明の第３の紛失通知システムは、本発明の第２の紛失通知システムにおいて、前記携帯端末から現在の位置情報を紛失通知メールにより前記通知先端末に送信し、前記紛失通知メールは移動距離または静止継続時間のいずれに基づく紛失通知かの情報を含むことを特徴とする。
【０００９】
本発明の第４の紛失通知システムは、ネットワークを介して接続される携帯端末と通知先端末とを備えた紛失通知システムであって、
前記携帯端末は、紛失通知モードに設定されたときにロック解除を除く当該端末の操作を禁止するロックモードにするとともにロック解除用認証の監視を開始し認証失敗回数を記憶する手段と、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を前記通知先端末に送信する手段と、算出した移動距離が所定距離以上でなかった場合に認証失敗回数を取得し所定回数以上であるかを判定する手段と、所定回数以上であった場合に現在の位置情報を前記通知先端末に送信する手段とを有し、
前記通知先端末は、前記携帯端末から位置情報を受信する度に保存する手段を有する。
【００１０】
本発明の第５の紛失通知システムは、本発明の第４の紛失通知システムにおいて、前記携帯端末から現在の位置情報を紛失通知メールにより前記通知先端末に送信し、前記紛失通知メールは移動距離または認証失敗回数のいずれに基づく紛失通知かの情報を含むことを特徴とする。
【００１１】
本発明の第６の紛失通知システムは、ネットワークを介して接続される携帯端末と通知先端末とを備えた紛失通知システムであって、
前記携帯端末は、衝撃を検出する衝撃検出手段と、時間を計数するタイマと、紛失通知モードに設定されたときに前記タイマによる時間の計数と前記衝撃検出手段による衝撃の検出を開始する手段と、衝撃が検出される度に前記タイマの計数時間すなわち静止継続時間をリセットし計数を再開する手段と、紛失通知モードに設定されたときにロック解除を除く当該端末の操作を禁止するロックモードにするとともにロック解除用認証の監視を開始し認証失敗回数を記憶する手段と、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を前記通知先端末に送信する手段と、算出した移動距離が所定距離以上でなかった場合に前記タイマから静止継続時間を取得し所定時間以上であるかを判定する手段と、所定時間以上であった場合に現在の位置情報を前記通知先端末に送信する手段と、算出した移動距離が所定距離以上でなかった場合に認証失敗回数を取得し所定回数以上であるかを判定する手段と、所定回数以上であった場合に現在の位置情報を前記通知先端末に送信する手段とを有し、
前記通知先端末は、前記携帯端末から位置情報を受信する度に保存する手段を有する。
【００１２】
本発明の第７の紛失通知システムは、本発明の第６の紛失通知システムにおいて、前記携帯端末から現在の位置情報を紛失通知メールにより前記通知先端末に送信し、前記紛失通知メールは移動距離，静止継続時間または認証失敗回数のいずれに基づく紛失通知かの情報を含むことを特徴とする。
【００１３】
本発明の第１の携帯端末は、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を外部装置に送信する手段とを有する。
【００１４】
本発明の第２の携帯端末は、衝撃を検出する衝撃検出手段と、時間を計数するタイマと、紛失通知モードに設定されたときに前記タイマによる時間の計数と前記衝撃検出手段による衝撃の検出を開始する手段と、衝撃が検出される度に前記タイマの計数時間すなわち静止継続時間をリセットし計数を再開する手段と、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を外部装置に送信する手段と、算出した移動距離が所定距離以上でなかった場合に前記タイマから静止継続時間を取得し所定時間以上であるかを判定する手段と、所定時間以上であった場合に現在の位置情報を前記外部装置に送信する手段とを有する。
【００１５】
本発明の第３の携帯端末は、紛失通知モードに設定されたときにロック解除を除く当該端末の操作を禁止するロックモードにするとともにロック解除用認証の監視を開始し認証失敗回数を記憶する手段と、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を外部装置に送信する手段と、算出した移動距離が所定距離以上でなかった場合に認証失敗回数を取得し所定回数以上であるかを判定する手段と、所定回数以上であった場合に現在の位置情報を前記外部装置に送信する手段とを有する。
【００１６】
本発明の第４の携帯端末は、衝撃を検出する衝撃検出手段と、時間を計数するタイマと、紛失通知モードに設定されたときに前記タイマによる時間の計数と前記衝撃検出手段による衝撃の検出を開始する手段と、衝撃が検出される度に前記タイマの計数時間すなわち静止継続時間をリセットし計数を再開する手段と、紛失通知モードに設定されたときにロック解除を除く当該端末の操作を禁止するロックモードにするとともにロック解除用認証の監視を開始し認証失敗回数を記憶する手段と、紛失通知モードに設定されたときに位置情報を取得し記憶する手段と、以後定期的に位置情報を取得し記憶する手段と、位置情報取得の度に取得した位置情報と紛失通知モード設定時に取得した位置情報とを基に移動距離を算出する手段と、算出した移動距離が所定距離以上であった場合に現在の位置情報を外部装置に送信する手段と、算出した移動距離が所定距離以上でなかった場合に前記タイマから静止継続時間を取得し所定時間以上であるかを判定する手段と、所定時間以上であった場合に現在の位置情報を前記外部装置に送信する手段と、算出した移動距離が所定距離以上でなかった場合に認証失敗回数を取得し所定回数以上であるかを判定する手段と、所定回数以上であった場合に現在の位置情報を前記外部装置に送信する手段とを有する。
【００１７】
本発明の第１の紛失通知方法は、携帯端末が紛失通知モードに設定されたときに位置情報を取得し記憶するステップと、以後定期的に位置情報を取得し記憶するステップと、位置情報取得の度に取得した位置情報と紛失通知モード設定時に取得した位置情報とを基に移動距離を算出するステップと、算出した移動距離が所定距離以上であった場合に現在の位置情報を外部装置に送信するステップとを有する。
【００１８】
本発明の第２の紛失通知方法は、携帯端末が紛失通知モードに設定されたときにタイマによる時間の計数と衝撃検出手段による衝撃の検出を開始するステップと、衝撃が検出される度に前記タイマの計数時間すなわち静止継続時間をリセットし計数を再開するステップと、紛失通知モードに設定されたときにロック解除を除く当該端末の操作を禁止するロックモードにするとともにロック解除用認証の監視を開始し認証失敗回数を記憶するステップと、紛失通知モードに設定されたときに位置情報を取得し記憶するステップと、以後定期的に位置情報を取得し記憶するステップと、位置情報取得の度に取得した位置情報と紛失通知モード設定時に取得した位置情報とを基に移動距離を算出するステップと、算出した移動距離が所定距離以上であった場合に現在の位置情報を外部装置に送信するステップと、算出した移動距離が所定距離以上でなかった場合に前記タイマから静止継続時間を取得し所定時間以上であるかを判定するステップと、所定時間以上であった場合に現在の位置情報を前記外部装置に送信するステップと、算出した移動距離が所定距離以上でなかった場合に認証失敗回数を取得し所定回数以上であるかを判定するステップと、所定回数以上であった場合に現在の位置情報を前記外部装置に送信するステップとを有する。
【００１９】
本発明の第１のプログラムは、紛失通知モードに設定されたときに位置情報を取得し記憶する機能、以後定期的に位置情報を取得し記憶する機能、位置情報取得の度に取得した位置情報と紛失通知モード設定時に取得した位置情報とを基に移動距離を算出する機能、算出した移動距離が所定距離以上であった場合に現在の位置情報を外部装置に送信する機能、をコンピュータに実現させる。
【００２０】
本発明の第２のプログラムは、紛失通知モードに設定されたときにタイマによる時間の計数と衝撃検出手段による衝撃の検出を開始する機能、衝撃が検出される度に前記タイマの計数時間すなわち静止継続時間をリセットし計数を再開する機能、紛失通知モードに設定されたときに位置情報を取得し記憶する機能、以後定期的に位置情報を取得し記憶する機能、位置情報取得の度に取得した位置情報と紛失通知モード設定時に取得した位置情報とを基に移動距離を算出する機能、算出した移動距離が所定距離以上であった場合に現在の位置情報を外部装置に送信する機能、算出した移動距離が所定距離以上でなかった場合に前記タイマから静止継続時間を取得し所定時間以上であるかを判定する機能、所定時間以上であった場合に現在の位置情報を前記外部装置に送信する機能、をコンピュータに実現させる。
【００２１】
本発明の第３のプログラムは、紛失通知モードに設定されたときにロック解除を除く当該端末の操作を禁止するロックモードにするとともにロック解除用認証の監視を開始し認証失敗回数を記憶する機能、紛失通知モードに設定されたときに位置情報を取得し記憶する機能、以後定期的に位置情報を取得し記憶する機能、位置情報取得の度に取得した位置情報と紛失通知モード設定時に取得した位置情報とを基に移動距離を算出する機能、算出した移動距離が所定距離以上であった場合に現在の位置情報を外部装置に送信する機能、算出した移動距離が所定距離以上でなかった場合に認証失敗回数を取得し所定回数以上であるかを判定する機能、所定回数以上であった場合に現在の位置情報を前記外部装置に送信する機能、をコンピュータに実現させる。
【００２２】
本発明の第４のプログラムは、紛失通知モードに設定されたときにタイマによる時間の計数と衝撃検出手段による衝撃の検出を開始する機能、衝撃が検出される度に前記タイマの計数時間すなわち静止継続時間をリセットし計数を再開する機能、紛失通知モードに設定されたときにロック解除を除く当該端末の操作を禁止するロックモードにするとともにロック解除用認証の監視を開始し認証失敗回数を記憶する機能、紛失通知モードに設定されたときに位置情報を取得し記憶する機能、以後定期的に位置情報を取得し記憶する機能、位置情報取得の度に取得した位置情報と紛失通知モード設定時に取得した位置情報とを基に移動距離を算出する機能、算出した移動距離が所定距離以上であった場合に現在の位置情報を外部装置に送信する機能、算出した移動距離が所定距離以上でなかった場合に前記タイマから静止継続時間を取得し所定時間以上であるかを判定する機能、所定時間以上であった場合に現在の位置情報を前記外部装置に送信する機能、算出した移動距離が所定距離以上でなかった場合に認証失敗回数を取得し所定回数以上であるかを判定する機能、所定回数以上であった場合に現在の位置情報を前記外部装置に送信する機能、をコンピュータに実現させる。
【発明の効果】
【００２３】
本発明においては、携帯端末が紛失通知モード設定時の位置から所定距離以上移動した場合に、現在位置情報を通知先端末に送信している。このため、携帯端末が盗難され所定距離以上遠くに持って行かれた場合や、紛失通知モードを設定した場所（外出先等）に携帯端末を置き忘れて所定距離以上移動したような場合に、タイムリーな紛失通知が可能になるという効果が得られる。
【００２４】
また、本発明においては、紛失通知モードが設定されている間は定期的に距離の監視を実行し、紛失と判断された場合に現在位置情報を送信している。このため、ユーザにとっては紛失した携帯端末の最新の現在位置情報が得られるという効果が得られる。
【発明を実施するための最良の形態】
【００２５】
本発明の実施の形態について図面を参照して詳細に説明する。
【００２６】
図１は、本発明の第１の実施の形態の構成を示す図であり、携帯端末１０と、通知先端末２０と、これらを相互に接続するインターネット等のネットワーク１００とを備えている。
【００２７】
携帯端末１０は、携帯電話機，ＰＨＳ(Personal Handyphone System)，ＰＤＡ(Personal Digital Assistance)等の携帯情報端末である。この携帯端末１０は、通信部１１と、
通信アンテナ１１Ａと、ＧＰＳ(Global Positioning System)測位部１２と、ＧＰＳアン
テナ１２Ａと、操作部１３と、表示部１４と、タイマ１５と、衝撃検出部１６と、制御部１７と、記憶部１８とを備えている。
【００２８】
通信部１１は、図示しない基地局との間で通信アンテナ１１Ａを介して無線信号の送受信を行う通信装置である。ＧＰＳ測位部１２は、複数のＧＰＳ衛星から到来する信号をＧＰＳアンテナ１２Ａを介して捕捉し、位置情報（緯度／経度等）を演算，取得する機能を備えている。操作部１３は、テンキー，機能キー，ポインティングデバイス等の入力装置であり、表示部１４は、ＬＣＤ(Liquid Crystal Display)等の表示装置である。タイマ１５は、携帯端末１０の静止継続時間の監視や定期的な位置情報取得のための時間を計数するととともに、制御部１７からの指示により計数値を初期化する機能を備えている。衝撃検出部１６は、例えば、加速度センサであり、衝撃を検出した場合に衝撃値データを制御部１７に送信する。なお、加速度センサについては公知であり、その詳細を説明するのが本発明の主旨でもないため、説明は省略する。
【００２９】
制御部１７は、ＣＰＵ(Central Processing Unit)等の制御装置であり、プログラムに
より動作を制御される。この制御部１７は、
・紛失通知メニュー上で紛失通知モードが設定された場合に携帯端末１０をロックモード（端末内に保存されたスケジュールや電話帳，メールアドレス等のメニュー呼び出し操作等を受けつけず無効にすることで第三者の利用を禁止するモード）に設定する機能、
・紛失通知モードにおいて、定期的に位置情報を取得し記憶部１８に格納する機能、
・定期的に取得した位置情報と初回（紛失通知モード設定直後）の位置情報との距離を算出する機能、
・算出した距離が所定距離以上であった場合に、現在位置と端末ＩＤを通知先端末２０に通知する機能、
・算出した距離が所定距離以上でなかった場合に、タイマ１５の計数時間（静止継続時間）を参照し、予め設定された時間以上であった場合に現在位置と端末ＩＤを通知先端末２０に通知する機能、
・算出した距離が所定距離以上でなかった場合に、記憶部１８に記録されている認証失敗回数を参照し、予め設定された回数以上であった場合に現在位置と端末ＩＤを通知先端末２０に通知する機能、
を備えている。
【００３０】
記憶部１８は読み出し，書き込み可能な記憶装置であり、ユーザ設定情報データベース１８１と、位置情報データベース１８２と、認証失敗情報データベース１８３とを含んでいる。ユーザ設定情報データベース１８１には、図２（ユーザ設定情報データベース１８１に格納されるデータの一例を示す図）に示すように、指定距離，静止継続時間，認証失敗回数，通知先メールアドレス等が登録される。ここで、指定距離とは、携帯端末１０が紛失通知モードになった時点の位置からどれくらい離れたときに紛失とみなすかを指定する距離である。静止継続時間とは、携帯端末１０が連続して静止状態にある時間のことであり、どれくらい継続したときに置き忘れ等による紛失とみなすかを指定する時間である。認証失敗回数とは、携帯端末１０のロックモード等の解除のための暗証番号等による認証の失敗回数であり、何回失敗したら盗難等による紛失とみなすかを指定する回数である。通知先メールアドレスとは、通知先端末２０のメールアドレスである。位置情報データベース１８２には、図３（位置情報データベース１８２に格納されるデータの一例を示す図）に示すように、測位毎に位置情報と測位日時が格納される。認証失敗情報データベース１８３には、図４（認証失敗情報データベース１８３に格納されるデータの一例を示す図）に示すように、認証に失敗する度に認証失敗日時情報が登録される。
【００３１】
通知先端末２０は、携帯電話機，ＰＨＳ(Personal Handyphone System)，ＰＤＡ(Personal Digital Assistance)等の携帯情報端末やパーソナルコンピュータ等の情報処理装置
である。この通知先端末２０は、携帯端末１０から送信された紛失通知メールを受信し保存する機能を備えている。
【００３２】
次に、本発明の第１の実施の形態の動作について図１〜図５を参照して説明する。図５は、本発明の第１の実施の形態の動作を示すフローチャートである。
【００３３】
図５を参照すると、ユーザは操作部１３の操作により携帯端末１０の紛失通知プログラムを起動する（ステップＡ１）。制御部１７は紛失通知メニューを表示部１４に表示し、ユーザは操作部１３によりメニュー上の設定項目を選択し、指定距離，静止継続時間，認証失敗回数，通知先メールアドレスを入力する。制御部１７は、ユーザから入力された情報をユーザ設定情報データベース１８１に登録する（図２参照）（ステップＡ２）。ユーザ設定情報の入力が終了すると、ユーザは紛失通知メニュー上で紛失通知モードをオン状態（有効）に設定する。以後、オン状態の紛失通知モードを単に紛失通知モードとして説明する（ステップＡ３）。制御部１７は、紛失通知モードに設定されたことにより、携帯端末１０をロックモードに設定し、以後のダイヤルキーやメニュー呼び出しキー等の操作を、ロックモード解除用暗証番号等の入力により解除されるまでは無効とする（ステップＡ４）。
【００３４】
その後、制御部１７は定期的な位置情報の取得を制御するが、まず、紛失通知モードになった時点での位置情報の取得をＧＰＳ測位部１２に指示する。そして、制御部１７はＧＰＳ測位部１２が取得した位置情報を測位日時情報とともに第１回の位置情報として位置情報データベース１８２に登録する（図３参照）（ステップＡ５）。
【００３５】
一方、制御部１７は、静止継続時間，認証失敗回数の監視を開始する。詳細には、静止継続時間については、タイマ１５に経過時間計数の開始を指示し、衝撃検出部１６に検出開始を指示する。衝撃検出部１６は、例えば加速度センサであり、携帯端末１０の加速度を検出する。衝撃検出部１６は、検出した加速度が０の間は制御部１７に何も送信しないが、０以外の加速度を検出した場合は制御部１７にその数値を送信する。制御部１７は、衝撃検出部１６から加速度データを受信すると、移動／静止状態を判定する。このとき、静止状態の判定基準は所定値以下の加速度としてもよいし、加速度０以外の加速度としてもよい。制御部１７は、受信した加速度データにより移動状態と判定した場合、タイマ１５に対して計数値の初期化（０に戻す）を指示し、タイマ１５はそれまでの計数値をリセットして０から計数を再開する。従って、タイマ１５の計数値は、携帯端末１０が継続して静止状態にある時間を示している。また、認証失敗回数については、ロックモード解除のための暗証番号等による認証が失敗する度に、制御部１７は失敗日時情報を認証失敗情報データベース１８３に登録することにより監視する（ステップＡ６）。
【００３６】
ステップＡ５に続き、制御部１７は所定の間隔で定期的に位置情報の取得をＧＰＳ測位部１２に指示し（ステップＡ７）、ＧＰＳ測位部１２が取得した位置情報を測位日時情報とともに位置情報データベース１８２に登録する（ステップＡ８）。そして、制御部１７は位置情報データベース１８２を参照し、直近に登録した位置情報と紛失通知モードになった直後に測位した第１回の位置情報とを取得し、両位置情報の位置間の距離を算出する。この距離の算出については、例えば、両位置情報の緯度差／経度差を求め、図示しない記憶エリアに格納された緯度／経度の例えば１秒当たりの距離データを緯度差／経度差にそれぞれ掛けて三角法（ピタゴラスの定理）により算出する。なお、高度情報も用いるようにしてもよいが、本発明においては大まかな距離が分かればよく精度は要求されないため、緯度／経度情報による簡易算出でも十分である（ステップＡ９）。
【００３７】
制御部１７は、ステップＡ９で算出した距離とステップＡ２でユーザ設定情報データベース１８１に登録した指定距離とを照合し、算出した距離が指定距離以上であるかを判定する（ステップＡ１０）。指定距離以上であった場合、制御部１７は今回測位した位置情報と図示しない記憶エリアから読み出した端末ＩＤとを含む紛失通知メールを生成し、通知先端末２０に送信する。このとき、通知先端末２０のメールアドレスについては、制御部１７がユーザ設定情報データベース１８１から取得する（ステップＡ１０→ステップＡ１３）。
【００３８】
ステップＡ１０において、算出した距離が指定距離以上でなかった場合は、制御部１７はタイマ１５の計数値を取得し、取得した計数値がユーザ設定情報データベース１８１に設定された静止継続時間以上かを判定する（ステップＡ１０→ステップＡ１１）。取得した計数値が予め設定された静止継続時間以上であった場合、制御部１７は今回測位した位置情報と図示しない記憶エリアから読み出した端末ＩＤとを含む紛失通知メールを生成し、通知先端末２０に送信する（ステップＡ１１→ステップＡ１３）。
【００３９】
ステップＡ１１において、取得した計数値が予め設定された静止継続時間以上でなかった場合は、制御部１７は認証失敗情報データベース１８３を参照し認証失敗回数を取得する。そして、制御部１７は、認証失敗情報データベース１８３から取得した認証失敗回数とユーザ設定情報データベース１８１に予め設定された認証失敗回数の設定値とを照合する（ステップＡ１１→ステップＡ１２）。認証失敗回数が設定値以上であった場合、制御部１７は今回測位した位置情報と図示しない記憶エリアから読み出した端末ＩＤとを含む紛失通知メールを生成し、通知先端末２０に送信する（ステップＡ１２→ステップＡ１３）。
【００４０】
ステップＡ１２において、認証失敗回数が設定値以上でなかった場合は、制御部１７は紛失通知モードが解除されたかを確認し、解除されていれば処理を終了し、解除されていなければステップＡ７の動作に戻る。なお、紛失通知モードの解除は解除用暗証番号の入力によって行われる。ユーザは、ステップＡ３で紛失通知モードを設定した後、解除したい場合には操作部１３から解除用暗証番号を入力し、制御部１７は紛失通知モードの設定を解除する（ステップＡ１２→ステップＡ１５）。また、ステップＡ１３に続き、制御部１７は紛失通知モードが解除されたかを確認し、解除されていれば処理を終了し、解除されていなければステップＡ７の動作に戻る（ステップＡ１３→ステップＡ１５）。通知先端末２０は、携帯端末１０から紛失通知メールを受信し、図示しない記憶部に保存する（ステップＡ１４）。
【００４１】
以上説明したように、本実施の形態においては、携帯端末１０が紛失通知モード設定時の位置から所定距離以上離れた場合に、現在位置情報を含む紛失通知メールを通知先端末２０に送信している。このため、携帯端末１０が盗難され所定距離以上遠くに持って行かれた場合や、紛失通知モードを設定した場所（外出先等）に携帯端末１０を置き忘れて所定距離以上移動したような場合に、タイムリーな紛失通知が可能になるという効果が得られる。
【００４２】
また、本実施の形態においては、携帯端末１０が紛失通知モード設定時の位置から所定距離以上離れていなかった場合でも、予め設定された時間以上静止状態にあった場合には、現在位置情報を含む紛失通知メールを通知先端末２０に送信している。このため、紛失通知モードを設定した場所（外出先等）に携帯端末１０を置き忘れてきたような場合においても、タイムリーな紛失通知が可能になるという効果が得られる。
【００４３】
また、本実施の形態においては、携帯端末１０が紛失通知モード設定時の位置から所定距離以上離れていなかった場合でも、ロックモード解除失敗回数が所定回数以上発生した場合には、現在位置情報を含む紛失通知メールを通知先端末２０に送信している。このため、第三者が携帯端末１０を使用するためにロックモード解除を試みたような場合においても、タイムリーな紛失通知が可能になるという効果が得られる。
【００４４】
また、本実施の形態においては、紛失通知モードが設定されている間は、定期的に距離の監視や、静止状態監視、ロックモード解除失敗回数監視を実行し、紛失と判断された場合に現在位置情報を含む紛失通知メールを送信している。このため、ユーザにとっては紛失した携帯端末１０の最新の現在位置情報が得られるという効果が得られる。
【００４５】
次に、本発明の第２の実施の形態について図面を参照して説明する。
【００４６】
本実施の形態は、上述した第１の実施の形態に比べ、静止継続時間の監視と認証失敗回数（ロックモード解除失敗回数）の監視を削除した点が異なっている。これに伴い、本実施の形態の構成は、図１の第１の実施の形態の構成に比べ、衝撃検出部１６と、記憶部１８の認証失敗情報データベース１８３とが不要になる。また、ユーザ設定情報データベース１８１の静止継続時間，認証失敗回数の設定データが不要になる点が異なっている。
【００４７】
次に、本実施の形態の動作について図５および図６を参照して説明する。図６は、本発明の第２の実施の形態の動作を示すフローチャートである。
【００４８】
図６が図５（第１の実施の形態の動作を示すフローチャート）と異なる点は、
・図５におけるステップＡ４，Ａ６，Ａ１１，Ａ１２を削除した点、
・ステップＢ２において、図５のステップＡ２から静止継続時間，認証失敗回数の設定を削除した点、
であり、他の動作については図５と同じであるため説明を省略する。因みに、図６のステップＢ１，Ｂ３，Ｂ４は図５のステップＡ１，Ａ３，Ａ５と同じであり、図６のステップＢ５〜Ｂ８は図５のステップＡ７〜Ａ１０と同じであり、図６のステップＢ９〜Ｂ１１は図５のステップＡ１３〜Ａ１５と同じである。
【００４９】
以上説明したように、本実施の形態においては、携帯端末１０が紛失通知モード設定時の位置から所定距離以上離れた場合に、現在位置情報を含む紛失通知メールを通知先端末２０に送信している。このため、携帯端末１０が盗難され所定距離以上遠くに持って行かれた場合や、紛失通知モードを設定した場所（外出先等）に携帯端末１０を置き忘れて所定距離以上移動したような場合に、タイムリーな紛失通知が可能になるという効果が得られる。
【００５０】
また、本実施の形態においては、紛失通知モードが設定されている間は定期的に距離の監視を実行し、紛失と判断された場合に現在位置情報を含む紛失通知メールを送信している。このため、ユーザにとっては紛失した携帯端末１０の最新の現在位置情報が得られるという効果が得られる。
【００５１】
また、本実施の形態は第１の実施の形態に比べ、衝撃検出部１６（加速度センサ等）を携帯端末１０に内蔵する必要がないため、携帯端末１０の構成を簡素化できるという効果が得られる。
【００５２】
次に、本発明の第３の実施の形態について図面を参照して説明する。
【００５３】
本実施の形態は、上述した第１の実施の形態に比べ、認証失敗回数（ロックモード解除失敗回数）の監視を削除した点が異なっている。これに伴い、本実施の形態の構成は、図１の第１の実施の形態の構成に比べ、記憶部１８の認証失敗情報データベース１８３が不要になる。また、ユーザ設定情報データベース１８１の認証失敗回数の設定データが不要になる点が異なっている。
【００５４】
次に、本実施の形態の動作について図５および図７を参照して説明する。図７は、本発明の第３の実施の形態の動作を示すフローチャートである。
【００５５】
図７が図５（第１の実施の形態の動作を示すフローチャート）と異なる点は、
・図５におけるステップＡ４，Ａ１２を削除した点、
・ステップＣ２において、図５のステップＡ２から認証失敗回数の設定を削除した点、
・ステップＣ５において、図５のステップＡ６から認証失敗回数の監視を削除した点、
であり、他の動作については図５と同じであるため説明を省略する。因みに、図７のステップＣ１，Ｃ３，Ｃ４は図５のステップＡ１，Ａ３，Ａ５と同じであり、図７のステップＣ６〜Ｃ１０は図５のステップＡ７〜Ａ１１と同じであり、図７のステップＣ１１〜Ｃ１３は図５のステップＡ１３〜Ａ１５と同じである。
【００５６】
以上説明したように、本実施の形態においては、携帯端末１０が紛失通知モード設定時の位置から所定距離以上離れた場合に、現在位置情報を含む紛失通知メールを通知先端末２０に送信している。このため、携帯端末１０が盗難され所定距離以上遠くに持って行かれた場合や、紛失通知モードを設定した場所（外出先等）に携帯端末１０を置き忘れて所定距離以上移動したような場合に、タイムリーな紛失通知が可能になるという効果が得られる。
【００５７】
また、本実施の形態においては、携帯端末１０が紛失通知モード設定時の位置から所定距離以上離れていなかった場合でも、予め設定された時間以上静止状態にあった場合には、現在位置情報を含む紛失通知メールを通知先端末２０に送信している。このため、紛失通知モードを設定した場所（外出先等）に携帯端末１０を置き忘れてきたような場合においても、タイムリーな紛失通知が可能になるという効果が得られる。
【００５８】
また、本実施の形態においては、紛失通知モードが設定されている間は、定期的に距離の監視や静止状態監視を実行し、紛失と判断された場合に現在位置情報を含む紛失通知メールを送信している。このため、ユーザにとっては紛失した携帯端末１０の最新の現在位置情報が得られるという効果が得られる。
【００５９】
次に、本発明の第４の実施の形態について図面を参照して説明する。
【００６０】
本実施の形態は、上述した第１の実施の形態に比べ、静止継続時間の監視を削除した点が異なっている。これに伴い、本実施の形態の構成は、図１の第１の実施の形態の構成に比べ、衝撃検出部１６が不要になる。また、ユーザ設定情報データベース１８１の静止継続時間の設定データが不要になる点が異なっている。
【００６１】
次に、本実施の形態の動作について図５および図８を参照して説明する。図８は、本発明の第４の実施の形態の動作を示すフローチャートである。
【００６２】
図８が図５（第１の実施の形態の動作を示すフローチャート）と異なる点は、
・図５におけるステップＡ１１を削除した点、
・図５におけるステップＡ１２を図８のステップＤ１１にした点、
・ステップＤ２において、図５のステップＡ２から静止継続時間の設定を削除した点、
・ステップＤ６において、図５のステップＡ６から静止継続時間の監視を削除した点、
であり、他の動作については図５と同じであるため説明を省略する。因みに、図８のステップＤ１，Ｄ３〜Ｄ５は図５のステップＡ１，Ａ３〜Ａ５と同じであり、図８のステップＤ７〜Ｄ１０は図５のステップＡ７〜Ａ１０と同じであり、図８のステップＤ１２〜Ｄ１４は図５のステップＡ１３〜Ａ１５と同じである。
【００６３】
以上説明したように、本実施の形態においては、携帯端末１０が紛失通知モード設定時の位置から所定距離以上離れた場合に、現在位置情報を含む紛失通知メールを通知先端末２０に送信している。このため、携帯端末１０が盗難され所定距離以上遠くに持って行かれた場合や、紛失通知モードを設定した場所（外出先等）に携帯端末１０を置き忘れて所定距離以上移動したような場合に、タイムリーな紛失通知が可能になるという効果が得られる。
【００６４】
また、本実施の形態においては、携帯端末１０が紛失通知モード設定時の位置から所定距離以上離れていなかった場合でも、ロックモード解除失敗回数が所定回数以上発生した場合には、現在位置情報を含む紛失通知メールを通知先端末２０に送信している。このため、第三者が携帯端末１０を使用するためにロックモード解除を試みたような場合においても、タイムリーな紛失通知が可能になるという効果が得られる。
【００６５】
また、本実施の形態においては、紛失通知モードが設定されている間は、定期的に距離の監視やロックモード解除失敗回数監視を実行し、紛失と判断された場合に現在位置情報を含む紛失通知メールを送信している。このため、ユーザにとっては紛失した携帯端末１０の最新の現在位置情報が得られるという効果が得られる。
【００６６】
また、本実施の形態は第１，第３の実施の形態に比べ、衝撃検出部１６（加速度センサ等）を携帯端末１０に内蔵する必要がないため、携帯端末１０の構成を簡素化できるという効果が得られる。
【００６７】
次に、本発明の応用例，変形例等について説明する。
【００６８】
・上述した第１の実施の形態において、認証失敗回数の確認（図５のステップＡ１２）は静止継続時間の確認（図５のステップＡ１１）と無関係に動作させるようにしてもよい。例えば、図５のステップＡ１０でＮＯの場合に、静止継続時間の確認（図５のステップＡ１１）と認証失敗回数の確認（図５のステップＡ１２）を並行して行うようにしてもよい。また、図５において、ステップＡ１１とステップＡ１２の動作を互いに入れ替えてもよい。
【００６９】
・上述した第１〜第４の実施の形態において、紛失通知メールに、距離，静止継続時間または認証失敗回数のいずれに基づく紛失通知かの情報を含めるようにしてもよい。
【００７０】
・上述した第１〜第４の実施の形態においては、携帯端末１０が指定距離以上離れた場合に紛失通知メールを送信するようにしたが、ユーザが指定した市区町村等の地域区画を離れた場合に紛失通知メールを送信するようにしてもよい。この場合、データ量が膨大になるため、地域区画の範囲を示す緯度，経度データを格納したサーバをネットワーク１００に接続し、携帯端末１０で測定した現在の自己位置をサーバに問い合わせて、指定地域区画から外れたか否かを判定するようにする。
【図面の簡単な説明】
【００７１】
【図１】本発明の第１の実施の形態の構成を示す図である。
【図２】ユーザ設定情報データベース１８１に格納されるデータの一例を示す図である。
【図３】位置情報データベース１８２に格納されるデータの一例を示す図である。
【図４】認証失敗情報データベース１８３に格納されるデータの一例を示す図である。
【図５】本発明の第１の実施の形態の動作を示すフローチャートである。
【図６】本発明の第２の実施の形態の動作を示すフローチャートである。
【図７】本発明の第３の実施の形態の動作を示すフローチャートである。
【図８】本発明の第４の実施の形態の動作を示すフローチャートである。
【符号の説明】
【００７２】
１０    携帯端末
１１    通信部
１１Ａ    通信アンテナ
１２    ＧＰＳ測位部
１２Ａ    ＧＰＳアンテナ
１３    操作部
１４    表示部
１５    タイマ
１６    衝撃検出部
１７    制御部
１８    記憶部
１８１    ユーザ設定情報データベース
１８２    位置情報データベース
１８３    認証失敗情報データベース
２０    通知先端末
１００    ネットワーク
【図１】
2007235823.tif 000003
【図２】
2007235823.tif 000004
【図３】
2007235823.tif 000005
【図４】
2007235823.tif 000006
【図５】
2007235823.tif 000007
【図６】
2007235823.tif 000008
【図７】
2007235823.tif 000009
【図８】
2007235823.tif 000010